(57)【特許請求の範囲】
【請求項１】
軒樋支持具に取付板を設けると共に取付板に取付面を形成し、取付面を建物の外面に当接させて取付板を建物に固定すると共に軒樋支持具に軒樋を保持させて形成される軒樋装置であって、傾斜方向の異なる複数の取付面を取付板に形成し、固定具を挿通させる固定孔を取付板に設けると共に固定孔を複数の取付面に亘る長孔に形成して成ることを特徴とする軒樋装置。
【発明の詳細な説明】
【０００１】
【発明の属する技術分野】
本発明は、屋根から流れ落ちる雨水を受けるために建物の軒に配設される軒樋装置に関するものである。
【０００２】
【従来の技術】
図８には従来から用いられている軒樋装置Ａの一例が示されている。軒樋支持具１は樹脂製であって、平板状の取付板２の正面に軒樋支持体１３を一体に設けて形成されている。また軒樋支持体１３の先端には係止部８が上側に突出して設けられていると共に取付板２の正面には係合部９が突設されている。軒樋５は上面が開口する断面略コ字状で長尺に形成されている。また軒樋５の前側端部には被係止部１０が凹設されていると共に軒樋５の後側端部には被係合部１１が形成されている。
【０００３】
そして軒樋装置Ａを図１２（ａ）のような建物４の屋根の軒に形成するにあたっては、まず取付板２の背面に形成される取付面３を建物４の鼻板（あるいは外壁）１２の外面に当接し、取付板２の正面からビス等の固定具６を打入して軒樋支持具１を建物４に取り付ける。次に軒樋支持具１の係止部８と係合部９に軒樋５の被係止部１０と被係合部１１をそれぞれ係止させて軒樋支持具１に軒樋５を取り付けて保持させるようにする。尚、３０は屋根材、３１は軒天井である。
【０００４】
図１０には他の軒樋装置Ａが示してある。この軒樋装置Ａの軒樋支持具１は、樹脂製の軒樋支持体１３と金属製の取付板２とで構成されるものである。取付板２の上端には連結片１９が前側に突出させて設けてあり、連結片１９の先端を軒樋支持体１３にネジ２２とナット２３で結合することによって、軒樋支持体１３に取付板２が取り付けられている。そしてネジ２２とナット２３の螺合を緩めることによって、軒樋支持体１３に対して連結片１９を前後方向にスライド移動させることができ、軒樋支持体１３と取付板２の間隔を変更することができるようにしてある。この軒樋装置Ａも図８に示すものと同様にして建物４に取り付けることができる。
【０００５】
上記のような軒樋装置Ａにおいて、軒樋支持具１に外観良く軒樋５を保持させるためには、軒樋支持具１を建物４の外面から所定の状態（例えば水平状態）に突出させなければならない。しかし図１２（ｂ）のように鼻板１２の外面が傾斜していると軒樋支持具１は下方に傾いて突出することになり、軒樋支持具１を所定状態に突出させて取り付けることができなかった。そこで図９や図１１のように、取付板２を傾けることによって鼻板１２の外面の傾斜方向と略同方向に取付面３を傾斜させた軒樋支持具１を別途形成し、建物４の外面が傾斜している場合にはこのように取付面３を傾斜させた軒樋支持具１を使用するようにしていた。
【０００６】
【発明が解決しようとする課題】
しかし建物４の外面の傾斜方向は多様であるので、各建物４の外面の傾斜方向に対応させて取付面３の傾斜方向を変える必要があり、上記軒樋装置Ａでは取付面３の傾斜方向が異なる多数種の軒樋支持具１を形成しなければならなかった。従って各軒樋支持具１に対応した多数種の金型が必要となって金型に対する投資が多くなり、また多数種の軒樋支持具１の在庫を抱えて管理することになり、コスト高になるという問題があった。
【０００７】
図１０の軒樋装置Ａでは、金属製の取付板２を用いて軒樋支持具１を形成し、しかも取付板２と軒樋支持体１３をそれぞれ別体に形成しているので、取付板２のプレス加工時の曲げ型のみを変更したり施工現場で手で取付板２を曲げたりすることによって、比較的簡単に取付板２の傾きを図１１のように変更することができ、上記問題はあまり大きくないが、図９の軒樋装置Ａでは軒樋支持具１が樹脂製であり、しかも取付板２が一体に形成されているので、上記問題の解決が非常に重要であった。
【０００８】
本発明は上記の点に鑑みてなされたものであり、軒樋支持具の種類を少なくすることによってコストを低く抑えることができる軒樋装置を提供することを目的とするものである。
【０００９】
【課題を解決するための手段】
本発明の請求項１に記載の軒樋装置Ａは、軒樋支持具１に取付板２を設けると共に取付板２に取付面３を形成し、取付面３を建物４の外面に当接させて取付板２を建物４に固定すると共に軒樋支持具１に軒樋５を保持させて形成される軒樋装置であって、傾斜方向の異なる複数の取付面３を取付板２に形成し、固定具６を挿通させる固定孔７を取付板２に形成すると共に固定孔７を複数の取付面３に亘る長孔に形成して成ることを特徴とするものである。
【００１０】
【発明の実施の形態】
以下、本発明の実施の形態を説明する。
【００１１】
軒樋支持具１はポリカーボネート樹脂等の合成樹脂を成形して得られるものであって、図２（ａ）（ｂ）（ｃ）のように断面略く字状の取付板２の正面に軒樋支持体１３を一体に設けて形成されている。軒樋支持体１３の先端には、上側に突出する係止部８と下側に突出する軒樋補強部１４が形成されている。また軒樋支持体１３の基部には、下面及び側面が開口する差し込み凹部１５が設けられていると共に差し込み凹部１５には係合部９が突設されている。
【００１２】
取付板２の背面は取付面３として形成されており、取付面３の上部は背方（建物４の方）に向かって下り傾斜する下り傾斜取付面３ａとして、また取付面３の下部は略鉛直方向に向かって傾斜する略垂直な略垂直取付面３ｂとしてそれぞれ形成されている。また取付板２の上部にはその正面と下り傾斜取付面３ａとに開口する上側固定孔１６が軒樋支持体１３の両側において穿設されていると共に、取付板２の下部にはその正面と略垂直取付面３ｂとに開口する下側固定孔１７が軒樋支持体１３の両側において穿設されている。
【００１３】
軒樋５は合成樹脂製や樹脂被覆鋼板製であって、上面が開口する断面略コ字状で長尺に形成されている。軒樋５の前側端部には前耳部３７が内側に突出して設けられていると共に前耳部３７の下側には被係止部１０が形成されている。また軒樋５の後側端部には後耳部１８が外側に突出して設けられていると共に後耳部１８の下面を被係合部１１として形成してある。
【００１４】
そして軒樋装置Ａを形成するにあたっては、まず軒樋支持具１の取付面３を建物４の鼻板１２の外面に当接させ、取付板２にビスや釘等の固定具６を打ち込んで鼻板１２に固定する。この時、鼻板１２の外面が略鉛直方向に傾斜している場合は、図３（ａ）のように略垂直取付面３ｂを鼻板１２の外面に当接させ、下側固定孔１７に固定具６を挿通させて鼻板１２に打ち込むようにする。また鼻板１２の外面が屋内方向に傾斜している場合は、図３（ｂ）のように下り傾斜取付面３ａを鼻板１２の外面に当接させ、上側固定孔１６に固定具６を挿通させて鼻板１２に打ち込むようにする。このように建物４の鼻板１２の外面の傾斜方向と略同方向に傾斜した取付面３を選択して当接させることによって、軒樋支持具１を建物４から略水平に突出させて取り付けることができる。
【００１５】
こうして複数個の軒樋支持具１を取り付けた後、軒樋５の被係止部１０を軒樋支持具１の係止部８に係止させると共に軒樋５の内面を軒樋補強部１４に当接させ、さらに差し込み凹部１５に被係合部１１を差し込むと共に被係合部１１を係合部９に係止させることに
よって、軒樋支持具１の下側に軒樋５を取り付けて保持させる。このようにして軒樋５を建物４の軒に略水平に配設して図１のような軒樋装置Ａを形成することができる。
【００１６】
この参考例では、傾斜方向の異なる複数の取付面３を取付板２に形成したので、建物４の外面の傾斜方向と略同方向に傾斜した取付面３を選択して当接させることによって、建物４の外面の傾斜方向にほとんど影響されないで軒樋支持具１を所定の状態（例えば水平状態）で建物４から突出させることができる。従って傾斜方向の異なる多数の建物４の外面に対応して軒樋支持具１を別々に形成する必要がなくなって、軒樋支持具１の種類を少なくすることができるものである。
【００１７】
図４には本発明の実施の形態が示してある。この実施の形態では、取付板２に下り傾斜取付面３ａと略垂直取付面３ｂに亘る上下に長い長孔を形成し、この長孔を固定具６が挿通される固定孔７として形成してある。そしてこの軒樋支持具１を建物４の鼻板１２に取り付けるにあたっては、上記実施の形態と同様に、鼻板１２の外面の傾斜と同方向に傾斜した下り傾斜取付面３ａあるいは略垂直取付面３ｂを建物４の外面に当接させた後、固定孔７に固定具６を挿通して打入するようにするが、下り傾斜取付面３ａを建物４の外面に当接させた場合は、固定孔７の上部に固定具６を挿通するようにし、略垂直取付面３ｂを建物４の外面に当接させた場合は、固定孔７の下部に固定具６を挿通するものである。
【００１８】
この実施の形態では、固定孔７を上下方向に長い長孔に形成したので、図５（ａ）（ｂ）のように建物４に軒樋支持具１をある程度の強さで固定して取り付けた後でも、固定孔７の長さの範囲内において軒樋支持具１を上下に移動させて高さ位置の微調整を行うことができるものであり、建物４から軒樋支持具１を取り外すことなく軒樋５の蛇行を修正することができる。また図６（ａ）（ｂ）のように上記実施の形態と同様に軒樋支持具１を鼻板１２に取り付ける方法の他に、図６（ｃ）のように、鼻板１２の外面に下り傾斜取付面３ａと略垂直取付面３ｂの境界付近を当接し、固定孔７の上端と下端の両方に固定具６を挿通すると共に建物４への各固定具６の打ち込み深さを適宜調整することによって、軒樋支持具１の建物４からの突出角度を上下方向で無段階に調整することができるものである。
【００１９】
図７には他の実施の形態が示してある。この実施の形態では、取付板２の取付面３の上部を背方に向かって下り傾斜する下り傾斜取付面３ａとして、また取付面３の中央部を略鉛直方向に向かって傾斜する略垂直な略垂直取付面３ｂとして、さらに取付面３の下部を背方に向かって上り傾斜する上り傾斜取付面３ｃとしてそれぞれ形成されている。この実施の形態では、傾斜方向の異なる三つの取付面３ａ、３ｂ、３ｃを形成したので、図１のものよりも多くの建物４に取り付けることができるものである。尚、傾斜方向の異なる取付面３は二面、三面に限らず、四面以上形成してもよい。
【００２０】
【発明の効果】
上記のように本発明の請求項１に記載の発明は、軒樋支持具に取付板を設けると共に取付板に取付面を形成し、取付面を建物の外面に当接させて取付板を建物に固定すると共に軒樋支持具に軒樋を保持させて形成される軒樋装置であって、傾斜方向の異なる複数の取付面を取付板に形成したので、建物の外面の傾斜方向と同方向に傾斜する取付面を選択して建物の外面に当接させることによって、建物の外面の傾斜方向にほとんど影響されないで軒樋支持具を所定の状態で建物から突出させることができ、傾斜方向の異なる多数の建物の外面に対応して軒樋支持具を別々に形成する必要がなくなって、軒樋支持具の種類を少なくすることができ、コストを低く抑えることができるものである。
【００２１】
また、取付板に固定具を挿通させる固定孔を形成すると共に固定孔を長孔に形成したので、固定孔に固定具を挿通して取付板を建物に固定することによって、取付板をある程度の強さで固定した後であっても固定孔の長手方向に軒樋支持具を移動させることができ、軒樋支持具の取付位置の微調整を軒樋支持具を取り外すことなく簡単に行うことができるものである。
【００２２】
また、固定孔を複数の取付面に亘る長孔に形成したので、固定孔の両方の端部に固定具を挿通すると共に固定具を建物に打入して取付板を固定し、各固定具の打入深さを調整することによって、軒樋支持具の建物からの突出状態を変えることができ、傾斜角度の異なる多くの建物の外面に対応させて軒樋支持具を取り付けることができる。従って軒樋支持具の種類をより少なくすることができ、コストをさらに低く抑えることができるものである。
【図面の簡単な説明】
【図１】本発明の参考例を示す断面図である。
【図２】（ａ）は同上の軒樋支持具の全体を示す斜視図、（ｂ）は取付板を示す背面図、（ｃ）は取付板を示す斜視図である。
【図３】（ａ）は同上の軒樋支持具の取付例を示す断面図、（ｂ）は他の取付例を示す断面図である。
【図４】本発明の実施の形態の取付板を示す斜視図である。
【図５】（ａ）は同上の軒樋支持具の取付例を示す断面図、（ｂ）は他の取付例を示す断面図である。
【図６】（ａ）は同上の軒樋支持具の取付例を示す断面図、（ｂ）は他の取付例を示す断面図、（ｃ）はさらに他の取付例を示す断面図である。
【図７】本発明のさらに他の実施の形態を示す一部の側面図である。
【図８】従来例を示す断面図である。
【図９】他の従来例を示す断面図である。
【図１０】さらに他の従来例を示す断面図である。
【図１１】さらに他の従来例を示す断面図である。
【図１２】（ａ）（ｂ）は屋根の軒構造を示す断面図である。
【符号の説明】
１  軒樋支持具
２  取付板
３  取付面
４  建物
５  軒樋
６  固定具
７  固定孔
【図１】
0003587420.tif 000002
【図２】
0003587420.tif 000003
【図３】
0003587420.tif 000004
【図４】
0003587420.tif 000005
【図５】
0003587420.tif 000006
【図６】
0003587420.tif 000007
【図７】
0003587420.tif 000008
【図８】
0003587420.tif 000009
【図９】
0003587420.tif 000010
【図１０】
0003587420.tif 000011
【図１１】
0003587420.tif 000012
【図１２】
0003587420.tif 000013